(57)【要約】【課題】簡単な構造と通常の材料による電極構造を提供し、治療・美容効果が得られやすく、使い勝手のよい微弱電流器具を提供する。【解決手段】肌に接触させて使用する微弱電流具の製造方法であって、前記微弱電流具は、第１金属を主成分とする第１電極材からなる第１電極部と、前記第１金属と電位差を有する第２金属を主成分とする第２電極材からなり、前記第１電極部と電気的に接続する第２電極部と、絶縁材からなり、肌接触面において前記第１電極部と前記第２電極部を絶縁する第１絶縁部とを含み、前記微弱電流具の製造方法は、前記第１電極材と前記第２電極材とを含む電極合せ材を製造する電極合せ材製造工程と、前記電極合せ材に前記絶縁材を設置する絶縁材設置工程と、を含む微弱電流具の製造方法。【選択図】図１０
2020044278.tif 000002
【特許請求の範囲】
【請求項１】
肌に接触させて使用する微弱電流具の製造方法であって、
前記微弱電流具は、
第１金属を主成分とする第１電極材からなる第１電極部と、
前記第１金属と電位差を有する第２金属を主成分とする第２電極材からなり、前記第１電極部と電気的に接続する第２電極部と、
絶縁材からなり、肌接触面において前記第１電極部と前記第２電極部を絶縁する第１絶縁部とを含み、
前記微弱電流具の製造方法は、
前記第１電極材と前記第２電極材とを含む電極合せ材を製造する電極合せ材製造工程と、
前記電極合せ材に前記絶縁材を設置する絶縁材設置工程と、を含む 
ことを特徴とする微弱電流具の製造方法。
【請求項２】
請求項１に記載の微弱電流具の製造方法であって、
前記微弱電流具は、前記第２電極部が前記第１電極部よりも下層に位置する
ことを特徴とする微弱電流具の製造方法。
【請求項３】
請求項１に記載の微弱電流具の製造方法であって、
前記微弱電流具は、前記第１電極部と前記第２電極部とが離間しており、
前記第２電極部が、導電材からなる導電部を介して前記第１電極部と電気的に接続し、
前記電極合せ材は、前記導電材を含む
ことを特徴とする微弱電流具の製造方法。
【請求項４】
請求項１又は２に記載の微弱電流具の製造方法であって、
前記電極合せ材製造工程は、
前記第１電極材を前記第２電極材の上に設置してから圧延加工で圧延する工程を含む
ことを特徴とする微弱電流具の製造方法。
【請求項５】
請求項３に記載の微弱電流具の製造方法であって、
前記電極合せ材製造工程では、
前記第１電極材及び前記第２電極材を前記導電材の上に設置してから圧延加工で圧延する
ことを特徴とする微弱電流具の製造方法。
【請求項６】
請求項４又は５に記載の微弱電流具の製造方法であって、
前記電極合せ材製造工程では、
前記第１電極材を前記第２電極材の上に貼り付けて設置する、又は、前記第１電極材及び前記第２電極材を前記導電材の上に貼り付けて設置する
ことを特徴とする微弱電流具の製造方法。
【請求項７】
請求項４〜６のいずれか一項に記載の微弱電流具の製造方法であって、
前記電極合せ材製造工程では、
前記圧延加工は、加熱してから行われる
ことを特徴とする微弱電流具の製造方法。
【請求項８】
請求項４に記載の微弱電流具の製造方法であって、
前記電極合せ材製造工程は、
前記第２電極材に、前記第１電極材を設置するための有底の設置溝を設ける工程を含む
ことを特徴とする微弱電流具の製造方法。
【請求項９】
請求項４に記載の微弱電流具の製造方法であって、
前記電極合せ材製造工程は、
前記第２電極材に、その表面の少なくとも一部を粗面加工することで粗面を設ける工程を含む
ことを特徴とする微弱電流具の製造方法。
【請求項１０】
請求項１又は２に記載の微弱電流具の製造方法であって、
前記電極合せ材製造工程は、
前記第２電極材を圧延加工で所定の厚みに圧延する工程と、
前記第１電極材を、導電性接着剤を介して圧延された前記第２電極材の上に設置する工程と、を含む
ことを特徴とする微弱電流具の製造方法。
【請求項１１】
請求項１又は２に記載の微弱電流具の製造方法であって、
前記電極合せ材製造工程は、
台紙の上に、第２金属の粒子を含む素材をバインダーとともに塗布して前記第２電極材を設置する工程と、
前記第２電極材の上に、前記第１電極材を設置する工程と、を含む
ことを特徴とする微弱電流具の製造方法。
【請求項１２】
請求項１１に記載の微弱電流具の製造方法であって、
前記第１電極材を設置する工程では、
前記第２電極材の上に、導電性接着剤を介して前記第１電極材を設置する
ことを特徴とする微弱電流具の製造方法。
【請求項１３】
請求項１又は３に記載の微弱電流具の製造方法であって、
前記電極合せ材製造工程は、
導電性接着剤が塗布された台紙の上に、第２金属の粒子を含む素材をバインダーとともに塗布して前記第２電極材を設置する工程と、
前記導電性接着剤が塗布された台紙の上に、前記第１金属の粒子を含む素材をバインダーとともに塗布して前記第１電極材を設置する工程と、を含む
ことを特徴とする微弱電流具の製造方法。
【請求項１４】
請求項１〜１３のいずれか一項に記載の微弱電流具の製造方法であって、
前記微弱電流具は、シート状の微弱電流シートであり、
前記微弱電流具の製造方法は、
前記電極合せ材を所定形状に打ち抜く工程を含む
ことを特徴とする微弱電流具の製造方法。
【請求項１５】
請求項１〜１３のいずれか一項に記載の微弱電流具の製造方法であって、
前記微弱電流具は、シート状の微弱電流シートであり、
前記微弱電流具の製造方法は、
前記電極合せ材を所定形状に打ち抜く工程と、
打ち抜いた前記電極合せ材の周縁部を所定幅分だけ除去する工程と、を含み、
前記絶縁材設置工程では、所定幅分だけ除去された前記電極合せ材に前記絶縁材を設置する
ことを特徴とする微弱電流具の製造方法。
【請求項１６】
請求項１〜１３のいずれか一項に記載の微弱電流具の製造方法であって、
前記微弱電流具は、略円柱状の基部を含む微弱電流器具であり、
前記微弱電流具の製造方法は、
前記絶縁材設置工程では、前記電極合せ材に前記絶縁材を設置し、
所定長さの前記電極合せ材を前記基部の周面に巻き付ける工程を含む
ことを特徴とする微弱電流具の製造方法。
【請求項１７】
請求項１〜１６のいずれか一項に記載の微弱電流具の製造方法であって、
前記微弱電流具は、さらに、
絶縁材からなり、肌接触面において少なくとも前記第２電極部の外縁部を覆っている第２絶縁部を含み、
前記絶縁材設置工程では、さらに、
前記電極合せ材に前記第２絶縁部を構成する前記絶縁材を設置する
ことを特徴とする微弱電流具の製造方法。
【請求項１８】
請求項１〜１７のいずれか一項に記載の微弱電流具の製造方法であって、
前記絶縁材設置工程では、
前記第１絶縁部の幅が３ｍｍ〜１５ｍｍとなるように前記絶縁材を設置する
ことを特徴とする微弱電流具の製造方法。
【請求項１９】
請求項１〜１８のいずれか一項に記載の微弱電流具の製造方法であって、
前記絶縁材設置工程では、
前記第１電極部の露出部の幅が２ｍｍ〜１５ｍｍとなり、前記第２電極部の露出部の幅が３ｍｍ〜２５ｍｍとなるように前記絶縁材を設置する
ことを特徴とする微弱電流具の製造方法。
【請求項２０】
請求項１〜１９のいずれか一項に記載の微弱電流具の製造方法であって、
前記第１電極部が正電極部で、前記第２電極部が負電極部である
ことを特徴とする微弱電流具の製造方法。
【発明の詳細な説明】
【技術分野】
【０００１】
本発明は、皮膚などに微弱電流を流す微弱電流シートや微弱電流器具等の微弱電流具の製造方法に関する。
【背景技術】
【０００２】
人間の皮膚に微弱な電流を流し、健康を促進する療法が広く行われている。人体に適切な微弱電流を与えることにより、人間の自然治癒力が高まると言われている。そのことに着目した治療法として、マイクロカレントセラピーが挙げられる。マイクロカレントセラピーは、外部から人工的に微弱電流を流すことにより、傷の修復に必要なＡＴＰ（アデノシン三燐酸）酵素の生成や、たんぱく質の合成を促進するものである。マイクロカレントセラピーは特に外傷の治療に効果があると言われている。また、外傷の治療を目的としたものではないが、人間の皮膚に微弱電流を流すことにより、人体内に本来的に流れているバイオ電流の乱れを整え、人間の細胞組織のイオン配列を整え、これによって病気の予防や治癒に役立てることも広く行われている。このような微弱電流治療器として、種々の微弱電流発生装置が開発され製品化されている。
【０００３】
特許文献１には、標準単極電位より電位が高い金属電極と、前記標準単極電位より電位が低い半導体電極を電気的に接続し、金属電極と半導体電極を人間の皮膚に当てて微弱電流を流す経皮投薬用素子が記載されている。
【０００４】
特許文献２には、弾力性と導電性を有する基板に圧電体を平板状に設け、その基板と圧電体を粘着シートやサポーターで人体表面に固定し、圧電体に圧力をかけて微弱電流を皮膚内に通電する微弱電流施療具が記載されている。
【先行技術文献】
【特許文献】
【０００５】
【特許文献１】特許第２７９７１１８号公報
【特許文献２】特開２００６−３２０７０４号公報
【発明の概要】
【発明が解決しようとする課題】
【０００６】
特許文献１に記載の技術は、電極に金属電極と半導体電極とを用いている。半導体電極は限られた材料しか用いることができず、一般的な金属電極に比べれば高価である。また、特許文献１の技術は、金属電極と半導体電極を導線で接続するが、強度を有しつつ薄型化する点では十分ではない。
【０００７】
特許文献２の技術は、電位差がある電極を用いるのではなく、圧電体を用いている。圧電体は、圧力がかかることにより起電力を生じるため、特許文献２の微弱電流施療具は、圧力をかける必要がある。微弱電流は長時間定常的に流れることにより、人体内の生体電流を整える効果を生じるため、圧力をかけたときだけ電流が流れる構造では十分な治療効果が得られないことがあった。
【０００８】
本発明は、上記の課題の少なくとも一つを解決すべくなされたものであり、薄い電極構造を有し、使い勝手の良い微弱電流具を簡単な構造と通常の材料で製造する、微弱電流具の製造方法を提供することを目的とする。
【課題を解決するための手段】
【０００９】
上述した少なくとも１つの課題を解決するために、本発明の微弱電流具の製造方法は、肌に接触させて使用する微弱電流具の製造方法であって、前記微弱電流具は、第１金属を主成分とする第１電極材からなる第１電極部と、前記第１金属と電位差を有する第２金属を主成分とする第２電極材からなり、前記第１電極部と電気的に接続する第２電極部と、絶縁材からなり、肌接触面において前記第１電極部と前記第２電極部を絶縁する第１絶縁部とを含み、前記微弱電流具の製造方法は、前記第１電極材と前記第２電極材とを含む電極合せ材を製造する電極合せ材製造工程と、前記電極合せ材に前記絶縁材を設置する絶縁材設置工程と、を含む。
【００１０】
また、前記微弱電流具は、前記第２電極部が前記第１電極部よりも下層に位置してもよい。
【００１１】
また、前記微弱電流具は、前記第１電極部と前記第２電極部とが離間しており、前記第２電極部が、導電材からなる導電部を介して前記第１電極部と電気的に接続し、前記電極合せ材は、前記導電材を含んでもよい。
【００１２】
また、前記電極合せ材製造工程は、前記第１電極材を前記第２電極材の上に設置してから圧延加工で圧延する工程を含んでもよい。
【００１３】
また、前記電極合せ材製造工程では、前記第１電極材及び前記第２電極材を前記導電材の上に設置してから圧延加工で圧延してもよい。
【００１４】
また、前記電極合せ材製造工程では、前記第１電極材を前記第２電極材の上に貼り付けて設置する、又は、前記第１電極材及び前記第２電極材を前記導電材の上に貼り付けて設置してもよい。
【００１５】
また、前記電極合せ材製造工程では、前記圧延加工は、加熱してから行われてもよい。
【００１６】
また、前記電極合せ材製造工程は、前記第２電極材に、前記第１電極材を設置するための有底の設置溝を設ける工程を含んでもよい。
【００１７】
また、前記電極合せ材製造工程は、前記第２電極材に、その表面の少なくとも一部を粗面加工することで粗面を設ける工程を含んでもよい。
【００１８】
また、前記電極合せ材製造工程は、前記第２電極材を圧延加工で所定の厚みに圧延する工程と、前記第１電極材を、導電性接着剤を介して圧延された前記第２電極材の上に設置する工程と、を含んでもよい。
【００１９】
また、前記電極合せ材製造工程は、台紙の上に、第２金属の粒子を含む素材をバインダーとともに塗布して前記第２電極材を設置する工程と、前記第２電極材の上に、前記第１電極材を設置する工程と、を含んでもよい。
【００２０】
また、前記第１電極材を設置する工程では、前記第２電極材の上に、導電性接着剤を介して前記第１電極材を設置してもよい。
【００２１】
また、前記電極合せ材製造工程は、導電性接着剤が塗布された台紙の上に、第２金属の粒子を含む素材をバインダーとともに塗布して前記第２電極材を設置する工程と、前記導電性接着剤が塗布された台紙の上に、前記第１金属の粒子を含む素材をバインダーとともに塗布して前記第１電極材を設置する工程と、を含んでもよい。
【００２２】
また、前記微弱電流具は、シート状の微弱電流シートであり、前記微弱電流具の製造方法は、前記電極合せ材を所定形状に打ち抜く工程を含んでもよい。
【００２３】
また、前記微弱電流具は、シート状の微弱電流シートであり、前記微弱電流具の製造方法は、前記電極合せ材を所定形状に打ち抜く工程と、打ち抜いた前記電極合せ材の周縁部を所定幅分だけ除去する工程と、を含み、前記絶縁材設置工程では、所定幅分だけ除去された前記電極合せ材に前記絶縁材を設置してもよい。
【００２４】
また、前記微弱電流具は、略円柱状の基部を含む微弱電流器具であり、前記微弱電流具の製造方法は、前記絶縁設置工程では、前記電極合せ材に前記絶縁材を設置し、所定長さの前記電極合せ材を前記基部の周面に巻き付ける工程を含んでもよい。
【００２５】
また、前記微弱電流具は、さらに、絶縁材からなり、肌接触面において少なくとも前記第２電極部の外縁部を覆っている第２絶縁部を含み、前記絶縁材設置工程では、さらに、前記電極合せ材に前記第２絶縁部を構成する前記絶縁材を設置してもよい。
【００２６】
また、前記絶縁材設置工程では、前記第１絶縁部の幅が３ｍｍ〜１５ｍｍとなるように前記絶縁材を設置してもよい。
【００２７】
また、前記絶縁材設置工程では、前記第１電極部の露出部の幅が２ｍｍ〜１５ｍｍとなり、前記第２電極部の露出部の幅が３ｍｍ〜２５ｍｍとなるように前記絶縁材を設置してもよい。
【００２８】
また、前記第１電極部が正電極部で、前記第２電極部が負電極部であってもよい。
【発明の効果】
【００２９】
本発明によれば、薄い電極構造を有し、使い勝手の良い微弱電流具を簡単な構造と通常の材料で製造する微弱電流具の製造方法が提供される。
【図面の簡単な説明】
【００３０】
【図１】本発明に係る微弱電流具の一例である微弱電流シートの例を示す図である
【図２】図１の微弱電流シートに用いられる基部及び貼付けテープの例を示す図である。
【図３】従来の微弱電流具を示す図である。
【図４】図１の微弱電流シートの使用状態の例を説明するための図である。
【図５】図１の微弱電流シートの構成を示す図で断面図の例である。
【図６】図１の微弱電流シートの構成を示す図で断面図の例である。
【図７】図１の微弱電流シートの構成を示す図で断面図の例である。
【図８】本発明に係る微弱電流具の一例である微弱電流器具の例を示す図である。
【図９】図８の微弱電流器具の肌接触面を示す図である。
【図１０】電極合せ材の製造の一例を説明するための図である。
【図１１】図１０の例の変形例を説明するための図である。
【図１２】図１０の例の変形例を説明するための図である。
【図１３】電極合せ材の製造の一例を説明するための図である。
【図１４】電極合せ材の製造の一例を説明するための図である。
【図１５】電極合せ材からの微弱電流シートの製造の一例を説明するための図である。
【図１６】電極合せ材からの微弱電流シートの製造の一例を説明するための図である。
【図１７】電極合せ材からの微弱電流シートの製造の一例を説明するための図である。
【図１８】電極合せ材からの微弱電流シートの製造の一例を説明するための図である。
【図１９】三日月形状の微弱電流シートを人体に貼り付けた例を示す図である。
【図２０】三日月形状の微弱電流シートを人体に貼り付けた例を示す図である。
【図２１】電極合せ材からの微弱電流器具の製造の一例を説明するための図である。
【発明を実施するための形態】
【００３１】
以下に本発明の実施形態の例を、図面を用いて説明する。なお、下記実施形態において共通する構成要素については、前出の符号と同様な符号を付し説明を省略することがある。また、構成要素等の形状、位置関係等に言及する場合は、特に明示した場合及び原理的に明らかにそうでないと考えられる場合等を除き、実質的にその形状等に近似または類似するもの等を含むものとする。
【００３２】
本願に係る微弱電流具は、肌に接触させて使用するもので、第１金属を主成分とする第１電極材からなる第１電極部と、第１金属と電位差を有する第２金属を主成分とする第２電極材からなり、第１電極部と電気的に接続する第２電極部と、絶縁材からなり、微弱電流具において肌と接触する面である肌接触面において、第１電極部と第２電極部とを絶縁する第１絶縁部とを含む。以下では、第１電極部を正電極部、第２電極部を負電極部として説明するが、その逆でもよい。第２電極部は、導電部を介して第１電極部と電気的に接続してもよい。
【００３３】
以下では、微弱電流具の例として、人体に貼り付けて使用するためのシート状の微弱電流シートと、人体に押し当てて使用するための持ち手部を有する微弱電流器具を例に説明するが、これに限定されるものではない。上記構成を有し、人体に接触して使用するものであればよい。
【００３４】
＜微弱電流シート＞
図１は本発明に係る微弱電流具の一例である微弱電流シートの例を示す図である。図２はそれに用いられる基部及び貼付けテープの例を示す図で、図４はその使用状態の例を説明するための図である。図３は従来の微弱電流具を示す図である。図５〜図７は微弱電流シートの構成を示す図で断面図の例である。
【００３５】
図１は、本発明に係る微弱電流シート１００の平面図で、人体の肌に接触する面である肌接触面１０１を上にして見下ろした場合の図である。微弱電流シート１００は、少なくとも、正電極部１１０と、負電極部１２０と、絶縁部１５０とを含む。正電極部１１０と負電極部１２０は、電位差を有する異なる金属からなる。正電極部１１０及び負電極部１２０は肌接触面１０１に交互に現れる。絶縁部１５０は絶縁材からなり、肌接触面１０１において正電極部１１０と負電極部１２０との間に位置して正電極部１１０と負電極部１２０とを絶縁する。
【００３６】
なお、説明の便宜上、図示を含めて以下では、微弱電流シート１００が１つの正電極部１１０とその両側に位置する２つの負電極部１２０を含む例を説明するが、正、負電極部は交互に現れればよく、それぞれ複数含まれてもよいことは言うまでもない。
【００３７】
また、絶縁部が複数の窓部を有する面状に形成され、この複数の窓部から正、負電極部が肌接触面に露出するものでもよい。窓部は、絶縁部を厚み方向に貫通するものであればよく、矩形に限らず、円形、楕円形、三角形、多角形などでもよい。
【００３８】
微弱電流シート１００は、一例として、貼付けテープ１７０の貼付け面に、肌接触面１０１を上に設置され、貼付けテープ１７０が人体に貼られることで、使用される。貼付けテープ１７０は、微弱電流シート１００が載置される貼付け面全体に接着剤等が設けられて、微弱電流シート１００がこれに貼り付けられてもよいし、微弱電流シート１００の載置領域には接着剤等が設けられておらず、周囲にのみ接着剤等が設けられてもよい。
【００３９】
貼付けテープ１７０は、伸縮性を備えるものでもよい。これによって、人体の皮膚面への密着性を高めることができる。また、貼付けテープ１７０は、微弱電流シート１００の背面（肌接触面の反対側の面）全体ではなく、一部のみ、例えば両側のみに貼り付けられてもよい。また、貼付けテープ１７０は、他部材、例えばサポーター等で押さえられてもよいし、サポーターの一部として構成されてもよい。貼付けテープ１７０は、伸縮性のあるゴム素材を含むもので押えられてもよいし、両側に取付穴を設けてこれによって人体に取り付けてもよい。
【００４０】
図２に示すように、貼付けテープ１７０の貼付け面に基部１６０が設けられ、微弱電流シート１００がこの基部１６０に設置され、これを介して貼付けテープ１７０の貼付け面に設置されてもよい。基部１６０が柔軟性を有して、微弱電流シート１００が人体の対象部位に順応していることが好ましい。
【００４１】
基部１６０には、例えばシリコンゴムやプラスチック樹脂、ポリウレタンなどの発泡樹脂等が用いられる。また、布、紙、木等の素材が用いられてもよい。通気性を有する素材を使用することでムレを防ぐことが出来る。
【００４２】
また、正、負電極部の上面（肌接触面側）に微細な凸凹（例えば細かなプレスや腐食等による模様、サンドブラスト等の表面加工等）や微細な貫通穴（例えばレーザーやパンチング等によるもの）を施すことで、通気性を持たせてもよい。
【００４３】
図３（ａ）は従来の微弱電流具９００の横断面を示す図、図３（ｂ）はその使用状態図である。微弱電流具９００の正電極部９１０及び負電極部９２０は、突起部９７０の先端部にメッキ又は塗装などで設けられている。微弱電流具９００の正、負電極部及び電極部間の間隔はいずれも小さく、正電極部９１０の幅ｍ９１及び負電極部９２０の幅ｍ９２はいずれも１ｍｍ以下で、両者間の間隔ｄ９１は１ｍｍ以下である。また、図示しないが、粒子に正、負電極部を設けた類型の微弱電流具は、さらに微細で、粒子間の距離は１００μ以下である。
【００４４】
図３（ｂ）に示すように、人体ｐ１の皮膚は表皮ｐ１１、真皮ｐ１２及び皮下組織（浅筋膜）ｐ１３を含む。表皮ｐ１１の厚みが平均約０．１ｍｍ〜０．２ｍｍで、真皮ｐ１２の厚みが平均約１．０ｍｍ〜３．０ｍｍで、皮下組織ｐ１３は部位によって異なり、例えば、頭部や額、鼻などでは厚みが約２ｍｍ、他の部位では約４ｍｍ〜９ｍｍであると言われる。筋肉ｐ２０（深筋膜ｐ２１、筋外膜ｐ２２、筋周膜ｐ２３を含む）や神経の多くは、皮膚の下に位置するので、これらへの働きかけは、皮膚を通して行わなければならない。
【００４５】
従来の微弱電流具９００は、正、負電極間の間隔が狭く、微弱電流ｑ９１が弱いため、図示のようにその作用は皮膚に留まり、その下の筋肉等には届かない（ｑ１は望めない）。
【００４６】
これに対して、本願発明に係る微弱電流シート１００は、Ｘ方向（正、負電極部が交互に現れる方向）において、正電極部１１０の露出部の幅ｍ１が、２ｍｍ〜１５ｍｍ程度であり、より好ましくは３ｍｍ〜１２ｍｍである。また、負電極部１２０の露出部の幅ｍ２が、３ｍｍ〜２５ｍｍ程度であり、より好ましくは４ｍｍ〜２０ｍｍである。正電極部の露出部と負電極部の露出部との間の間隔は、絶縁部１5０の幅ｄ１に等しく、３ｍｍ〜１５ｍｍ程度であり、より好ましくは４ｍｍ〜１０ｍｍである。
【００４７】
微弱電流シート１００は、肌接触面における正、負電極部の露出部の幅が広く、両電極部の露出部間の間隔も広い。そのため、図４に示すように、微弱電流シート１００による微弱電流ｑ１は皮膚の下の筋肉やその筋膜、神経等の組織などにも届く。また、電極部の露出部の幅が広いため、その中央部分が的確なポイントに貼られなくても、周囲部分でカバーできるため、専門的な知識を有しない使用者にも使いやすい。
【００４８】
図５（ａ）は微弱電流シート１００の構成の一例を示す断面図で、図５（ｂ）はその一部拡大図である。図示のように、微弱電流シート１００は、導電部１３０を有し、導電部１３０の上面に正電極部１１０及び負電極部１２０が載置されてもよい。正電極部１１０及び負電極部１２０は、それぞれ少なくも１個ずつあり、導電部１３０の上（上面）に正負交互に載置される。正電極部１１０と負電極部１２０は、離間して配置され、絶縁部１5０が設置されていない状態では、両者の間の間隙から導電部１３０が露出する。
【００４９】
正電極部１１０と負電極部１２０は、電位差を有する異なる金属を主成分とする金属材からなる。正電極部１１０は、例えば金（Ａｕ＋）、原子量１９７．２、標準電極電位は＋１．５０ボルト、負電極部は、例えば、アルミニウム（Ａｌ＋＋＋）原子量２６．９７、標準電極電位は−１．３３７ボルト、亜鉛（Ｚｎ＋＋）原子量６５．３８、標準電極電位−０．７６２ボルト、である。なお、上記は一例であり、アルミニウムのように金属自体が酸化し酸化被膜を形成する場合、標準電極電位で示された電位と異なることもある。また、両電極間の配置間隔や、電極の面積、肌の密着度、及び状態などにより発生する電流の量は異なる。
【００５０】
導電部１３０は、導電性を有していればよく、金属（金属粉末を含むものを含む）からなる膜やシート（網状や格子状のものを含む）でもよいし、導電性を有する導電性接着剤（接着性を有する塗料を含む）などでもよい。
【００５１】
絶縁部１５０は、絶縁材からなり、シート状でもよい。例えば、粘着性を有するナイロンやビニールなどのテープを切り抜いて張り付けたものでもよい。また、膜や層のようなものでもよい。例えば、塗装や印刷などで形成してもよい。絶縁部１５０は、肌接触面において正電極部１１０と負電極部１２０とを絶縁する第１絶縁部１５１を少なくとも含む。
【００５２】
第１絶縁部１５１は、正電極部１１０の縁部を覆う第１被覆部１５１１と、負電極部１２０の縁部を覆う第２被覆部１５１２と、導電部１３０の電極部との隣接部を覆う第３被覆部１５１３とを含む。第１絶縁部１５１は、正電極部１１０と導電部１３０との堺１０２を覆うようにこれを跨って、正電極部の縁部を覆う第１被覆部１５１１と導電部１３０の隣接部を覆う第３被覆部１５１３とが形成され、負電極部１２０と導電部１３０との堺１０３を覆うようにこれを跨って、負電極部の縁部を覆う第２被覆部１５１２と導電部１３０の隣接部を覆う第３被覆部１５１３とが形成されるとも言える。
【００５３】
このように、第１絶縁部１５１は、正、負電極部の間に露出する導電部だけでなく、正、負電極部の縁部も覆っている。これは、電極部の縁では電流が放出されることがあり、汗が付着すると短絡しやすく、電流の損失になるとともに、長時間使用した際に皮膚が赤くなることから、肌接触面に電極部の縁部が直接接触しないようにするためである。
【００５４】
絶縁部１５０は、さらに、肌接触面１０１の縁部に位置する第２絶縁部１５２を含んでもよい。第２絶縁部１５２は、微弱電流シートの縁部に位置する電極部の縁部の少なくとも一部を上から覆うもので、ここでは、負電極部１２０の外縁部１２１を覆っている。
【００５５】
図６（ａ）は微弱電流シート１００の構成の一例を示す断面図で、図６（ｂ）は他の例である。図６（ａ）に示すように、微弱電流シート１００は、正電極部及び負電極部の一方が導電部を兼ねてもよい。
【００５６】
正電極部１１０が金で形成され、負電極部１２０が亜鉛、チタン、アルミニウム等の金属から形成されることで、負電極部１２０の一部が導電部を兼ねている。または、正電極部１１０が金、銀、銅等で形成されることで、正電極部１１０の一部が導電部を兼ねてもよい。
【００５７】
以下では、負電極部１２０の一部が導電部を兼ねる構成を例に説明する。正電極部１１０は導電部を兼ねる負電極部１２０上に載置される。第１絶縁部１５１は、正電極部１１０と負電極部１２０とを絶縁し、第１被覆部１５１１と、第３被覆部１５１３とを含む。すなわち、第１絶縁部１５１は、正電極部１１０と負電極部１２０との堺１０２を覆うようにこれを跨って正電極部１１０の縁部を覆う第１被覆部１５１１と、負電極部１２０の隣接部を覆う第３被覆部１５１３とを含む。第１絶縁部１５１が正、負電極部を絶縁するだけでなく、正電極部の縁部も覆っているため、肌接触面に電極部の縁部が直接接触しないようにすることができる。
【００５８】
図６（ｂ）に示すように、負電極部１２０の外縁部１２１は、基部１６０の縁部より内側に位置するように形成されてもよい。そして、第２絶縁部１５２は、負電極部１２０の外縁部１２１を覆う（第１被覆部１５２１）と共にその下方の基部１６０の縁部も覆っている（第２被覆部１５２２）。これによって、肌接触面の縁部においても、電極部の縁部が直接肌に接触することが回避される。
【００５９】
図７は微弱電流シート１００の構成の一例を示す断面図である。図示のように、微弱電流シートは、導電部１３０を有し、負電極部１２０の上に導電部１３０を介して正電極部１１０が載置されてもよい。導電部１３０は例えば導電性接着剤であり、正電極部１１０を負電極部１２０に固定して接続する効果を備えるものでもよい。さらに、導電部１３０に一定の抵抗値を持たせることで、過電流を防止することが出来る。
【００６０】
＜微弱電流器具＞
図８は本発明に係る微弱電流具の一例である微弱電流器具の例を示す図である。図９はその肌接触面を示す図である。なお、図示の微弱電流器具は、後述のように基部が円柱状で回転可能に持ち手部に接続されるが、微弱電流器具は基部が板状で持ち手部に肌接触面の反対側の面で固定して接続されてもよい。以下では、主として微弱電流シートとの相違点を説明する。
【００６１】
微弱電流器具２００は、正電極部２１０と、導電部を兼ねる負電極部２２０と、絶縁部２５０とを含み、これらから構成される肌接触面２０１で肌に接触して微弱電流を流す。正電極部２１０、負電極部２２０及び絶縁部２５０は、基部２６０に設置される。
【００６２】
基部２６０は、略円柱状であり、その円柱形状の中心を貫通する保持孔を介して、持ち手部２７０に回転可能に接続される。正、負電極部及び絶縁部は、基部２６０の周面に設置される。
【００６３】
持ち手部２７０は、使用者の把持方向であるＹ方向に延びる棒状部分と、この棒状部分の先端から、Ｙ方向と略垂直のＸ方向に延びる部分である保持部２７１とを含む。保持部２７１は、その先端に棒状の保持軸を有し、その保持軸に基部２６０の保持孔が挿通される。持ち手部２７０は、別体の止め具２７２を含み、保持部２７１に基部２６０を挿通させた後、止め具２７２を保持軸の先端部に接続して基部２６０が保持部から外れないように止めてもよい。止め具２７２は、例えば、その内部に雌ねじが設けられて、保持部２７１の保持軸の先端部に設けられた雄ねじと螺合して接続するものである。
【００６４】
微弱電流器具２００は、負電極部２２０が基部２６０の周面の略中央を周方向に巻くように覆い、その負電極部２２０の略中央を正電極部２１０が周方向に巻くように覆っている。これによって、導電部を兼ねる負電極部２２０が基部２６０上に設置され、正電極部２１０が負電極部２２０上に設置される。なお、ここでは、正電極部２１０が１つ設置される例を図示しているが、１つの負電極部上に正電極部を２以上並んで設けてもよいし、複数の負電極部の略中央にそれぞれ正電極部を設けてもよい。
【００６５】
また、第１絶縁部２５１は、正電極部２１０と負電極部２２０との堺２０２を覆うように周方向に帯状に設置される。さらに、第２絶縁部２５２も、負電極部２２０の外縁部２２１と基部２６０との堺２０４を覆うように周方向に帯状に設置される。
【００６６】
すあわち、図９に示すように、第１絶縁部２５１は、正電極部２１０と負電極部２２０との堺２０２を覆うようにこれを跨って、正電極部２１０の縁部を覆う第１被覆部２５１１と、負電極部２２０の隣接部を覆う第３被覆部２５１３とを含む。また、第２絶縁部２５２は、負電極部２２０と基部２６０との堺２０４を覆うようにこれを跨って、外縁部２２１を覆う第１被覆部２５２１と、基部２６０の隣接部を覆う第２被覆部２５２２とを含む。
【００６７】
Ｘ方向における正、負電極部の露出部の幅、及び絶縁部の幅は、上記と同様である。微弱電流器具２００は、微弱電流シート１００と同様に、肌接触面における正、負電極部の露出部の幅が広く、両電極部の露出部間の間隔も広く形成できる。そのため、微弱電流を皮膚の下の筋肉やその筋膜、神経等の組織などにも届けられる。また、電極部の露出部の幅が広いため、その中央部分が的確なポイントに当てられていなくても、周囲部分でカバーできるため、専門的な知識を有しない使用者にも使いやすい。
【００６８】
また、微弱電流器具２００は、上記のように、導電部を兼ねる一方の電極部上に、他方の電極部を設置し、その堺を絶縁材で覆うだけの構造であるため、簡単に形成できる。また、回転可能な基部上に電極部を設置することで、肌接触面が回転周面上に位置し、使用者が姿勢を変えずとも肌の広い範囲に肌接触面を容易に接触させることができる。
【００６９】
なお、微弱電流器具２００は、張り替え式としてもよい。すなわち、作用部分である正、負電極部及び絶縁部を、粘着剤や面ファスナーなどで基部上に貼り付けてもよい。その際、作用部分をシート状のものに設置し、それを基部に貼り付けるようにしてもよい。
【００７０】
また、基部の周面を柔軟性のある素材で形成することで、肌接触面が肌に順応しやすくなり、フィットしやすくなって、微弱電流の届く範囲を深めることができる。または、基部の周面に柔軟性のある素材を設置してその上に電極部を設置することで同様な効果が得られる。
【００７１】
＜微弱電流具の製造方法＞
微弱電流具の製造方法は、第１金属を主成分とする第１電極材と第２金属を主成分とする第２電極材とを含む電極合せ材を製造する電極合せ材製造工程と、この電極合せ材に絶縁材を設置する絶縁材設置工程とを含む。なお、以下では、第１金属材を正電極材、第２電極材を負電極材として説明するが、本願の主旨に反しない限り、その逆でもよい。以下では、微弱電流シート１００及び微弱電流器具２００を例に、微弱電流具の製造方法を説明する。
【００７２】
＜微弱電流シートの製造方法＞
微弱電流シート１００の製造には、まず、正電極材と負電極材を含む電極合せ材を製造する。なお、正、負電極部が導電部を介して接続している場合は、正、負電極材及び導電材を含む電極合せ材を製造する。次に、電極合せ材に絶縁材を設置し、所定形状に打ち抜くことで微弱電流シートを製造する。なお、後述のように、電極合せ材を打ち抜いた後に、絶縁材を設置して微弱電流シートを製造してもよい。
【００７３】
＜電極合わせ材の製造例１＞
図１０は、電極合せ材の製造の一例を説明する図である。
【００７４】
＜正電極材＞
正電極材１は、一例として、金、銀、銅等の板材を圧延加工によって所定の厚みに伸ばしてなる。圧延加工後、必要に応じて焼鈍しが行われてもよい。所定の厚みは、例えば、１０μである。
【００７５】
基本的に圧延は、一定の幅にそろえて、複数の圧延後、さらに両サイドを切りそろえ、圧延を繰り返し所定の厚さとし両サイドを切りそろえ所定の幅とする。その間に硬化した場合、適宜焼鈍しを行う。
【００７６】
また、正電極材１は、純金だけでなく銀や銅を混合してもよい。金に２から２０％の銀や銅を混合して用いても良い。好ましくは金に５から１５％の銀を混合した合金が光沢や、加工性が良い。ここでは、他の成分も多少含まれることがあるが、主な素材の割合を記載している。
【００７７】
＜負電極材＞
負電極材２は、チタン、亜鉛、アルミニウム等の板材を圧延加工によって所定の厚みに伸ばしてなる。圧延加工後、必要に応じて焼鈍しが行われてもよい。所定の厚みは、例えば、１００μである。
【００７８】
＜電極合せ材＞
まず、正電極材１を負電極材２の上に重ねて設置して重ね材４とする。ここでは、正電極材１を導電性接着剤（接着性を有する塗料を含む）を介して負電極材２の上に設置してもよい。
【００７９】
次に、重ね材４を圧延加工で所定の厚みまで伸ばして電極合せ材４０を製造する。所定の厚みは、例えば、１０μである。圧延加工によって、長さがＬ１の正、負電極材が、長さＬ２の電極合せ材４０となる。例えば、元の長さＬ１の１０倍〜２０倍の長さＬ２になる。なお、正電極材１、負電極材２の素材によって、圧延加工によって両サイドがやや広がり幅が広くなることもある。
【００８０】
なお、正電極材１はメッキ（例えば、金メッキ）によるものでもよい。例えば、負電極材２の幅方向の両端をマスキングし、金メッキすることで、負電極材２の上に正電極材１を設置し、重ね材４としてもよい。
【００８１】
なお、微弱電流シートにおいて、正電極部と負電極部とが離間して設置され、負電極部が導電部を介して正電極部と電気的に接続する場合は、電極合せ材は導電材を含む。その場合は、導電材の上に、正電極材１及び負電極材２を設置してから圧延加工で圧延して電極合せ材を製造する。
【００８２】
＜変形例１＞
図１１に示すように、負電極材は、圧延加工後、正電極材１の設置位置に溝加工が行われて、設置溝２１ａを有する負電極材２ａとしてもよい。負電極材２ａの設置溝２１ａに正電極材１が嵌められて重ね材となり、これが圧延加工されて電極合せ材が製造される。設置溝を設けることで、正電極材１の設置位置を容易に判別できると共に正電極材の位置ずれを防止できる。
【００８３】
また、圧延することで、負電極材２ａと正電極材１の密着度が高まり、金属間の拡散接合が起こり剥がれにくくなる。溶融結合は、密着性を高めると共に５００℃以上（両金属が溶けない範囲で）の高温をかけることで一層強化な結合を促すことが出来る。例えば金とチタンを結合させる場合は、約６００℃で加熱し圧延する。
さらに、貴金属は高価なために、正電極材１の使用量を減らすため、下に他の金属を敷き下駄をはかせた構造としても良い。例えば、金材の下に銀材や銅などを敷く。
【００８４】
正電極材１は、メッキ（例えば金メッキ）によるものでもよい。設置溝２１ａ以外をマスキングし、設置溝２１ａ内を金メッキで埋めることで重ね材４を形成できる。この場合、例えば金を主成分する正電極材とチタンを主成分する負電極材による重ね材４は、圧延して電極合せ材４０にする過程で、正電極材が設置溝２１ａの溝壁に阻まれ横に広がりにくいため、長手方向へ精度よく伸ばすことができる。
【００８５】
＜変形例２＞
図１２に示すように、負電極材は、圧延加工後、正電極材１の設置位置の表面を傷付ける等して粗面加工が行われて、粗面２２ｂを有する負電極材２ｂとしてもよい。粗面加工は、ケガキ加工、サンドブラスト加工、ヘアーライン加工、化学研磨加工等でもよいし、表面の酸化皮膜除去でもよい。粗面２２ｂを設けることで、正電極材の負電極材への貼付けがより強固になる。粗面加工は、負電極材２ｂの上面全体に行われてもよい。これによって、負電極部が肌にくっ付くことを防止できる。
【００８６】
また、正電極材の負電極材への貼付けを容易にするために、導電性塗料や、揮発性溶剤、ニス、漆等が用いられてもよい。または、錫等の柔らかい金属が粉状や線状、網状に設置されてもよい。
【００８７】
また、図示しないが、電極合せ材の圧延には、押さえ治具が用いられてもよい。押さえ治具は、正電極材と負電極材の間に配置され、正電極材側と負電極材側とで伸び率や硬度を変えたり、表面加工を変えたりすることで、貼付けを調整してもよい。
【００８８】
＜電極合わせ材の製造例２＞
図１３は、電極合せ材の製造の他の例を説明する図である。
【００８９】
＜負電極材＞
負電極材２０ｃは、チタン、亜鉛等の板材を圧延加工によって所定の厚みに伸ばしてなる。圧延加工後、必要に応じて焼鈍しが行われてもよい。所定の厚みは、例えば、１０μである。例えば、チタンの場合、１Ｋｇのチタンを幅約１２０ｍｍ、厚み約１０μに伸ばすと約１８０ｍの長さとなり、幅約６０ｍｍ、厚み約１０μに伸ばすと約３６０ｍの長さとなる。所定の厚みは、より好ましくは４μ〜８μである。
【００９０】
＜電極合せ材＞
負電極材２０ｃに、金箔等の正電極材１０ｃを貼り付けることで電極合せ材４０ｃが製造される。貼付けには、導電性を有する接着剤などが用いられる。このとき、塗布された接着剤等に所定の抵抗を持たせることで電流を所定の幅に調整できる。
【００９１】
＜電極合わせ材の製造例３＞
図１４は、微弱電流シート材の電極合せ材の製造の他の例を説明する図である。
【００９２】
＜台紙＞
所定の長さ及び所定の幅を有するロール状の台紙８０ｄを用意する。
【００９３】
＜負電極材＞
台紙８０ｄにチタン、アルミ、銀等の粒子をバインダーとともにコーティング（覆設）することで、負電極材２０ｄ（負電極層２０ｄ）が形成される（設置される）。バインダーと共に発泡材や布、木、紙などの粒子状のものを混ぜることで、コーティング面の通気性を高めてもよい。また、台紙８０ｄに導電性接着剤（接着性を有する塗料を含む）を塗布し、その上に上記コーティングを行ってもよい。
【００９４】
＜電極合せ材＞
負電極材２０ｄの上に、金箔等の正電極材１０ｄを貼り付けることで電極合せ材４０ｄが製造される。貼付けには、導電性を有する接着剤や導電性を有する両面テープなどが用いられる。または、負電極材２０ｄ上に、純金消粉（ゴールドパウダー）等をコーティングすることで正電極材１０ｄ（正電極層１０ｄ）が設置され、電極合せ材４０ｄが製造される。ここでは、電極合せ材４０ｄをロール状にして次工程で使用する。電極合せ材をロールから引き出しながら端から順に加工することができる。
【００９５】
なお、負電極材は、図示のように、導電性接着剤が塗布された台紙の全面に設置した場合は図６で示したものができる。一方、所定間隔をおいて帯状に複数設置してもよい。そして、正電極材１０ｄを隣接の負電極材の間に所定間隔をおいて設置して、正、負電極材が離間して交互に並ぶようにしてもよい。そうすれば、図５で示したものができる。
【００９６】
なお、台紙に、布、紙、木などの素材を用いれば、通気性がよく、肌に優しい電極合わせ材となる。
【００９７】
なお、電極合せ材は、導電性接着剤が塗布された台紙８０ｄの上に、チタン、アルミ、銀等の粒子をバインダーとともにコーティング（覆設）することで負電極材２０ｄ（負電極層２０ｄ）が形成され（設置され）、金等の粒子をバインダーとともにコーティング（覆設）することで正電極材１０ｄ（負電極層２０ｄ）が形成され（設置され）てもよい。
【００９８】
＜電極合せ材からの微弱電流シートの製造例１＞
図１５は、電極合せ材から微弱電流シートを製造する一例を説明する図である。電極合せ材は、上記のいずれを用いてもよい。ここでは、電極合せ材４０を例に説明する。
【００９９】
まずは、電極合せ材４０に、所定幅の絶縁材５０を貼り付ける。絶縁材５０は、長手方向では正、負電極材の長手方向の両端に合わせられ、幅方向（Ｘ方向）では正、負電極材の堺を上から覆う位置に合わせられる。絶縁材５０の所定幅は、例えば、３ｍｍ〜１５ｍｍであり、より好ましくは４ｍｍ〜１０ｍｍである。絶縁材は、第１電極材の露出幅が、例えば２ｍｍ〜１５ｍｍ、より好ましくは３ｍｍ〜１２ｍｍとなるように貼り付けられる。
【０１００】
次に、絶縁材５０が設置された電極合せ材を所定位置で所定形状に打ち抜くことで微弱電流シート１００が得られる。微弱電流シート１００は、正電極部１１０と、負電極部１２０と、絶縁部１５０（ここでは第１絶縁部１５１）を含む。なお、ここでは、打抜き孔５１が楕円形であるが、ハート形状や三日月形状など他の形状であってもよい。
【０１０１】
＜電極合せ材からの微弱電流シートの製造例２＞
図１６は、電極合せ材から微弱電流シートを製造する他の例を説明する図である。
【０１０２】
まずは、電極合せ材４０の上に、所定領域を除いて、絶縁材５０ａの印刷（塗布）を行う。所定領域は、電極合せ材４０の中央の第１露出領域４１と、第１領域の両側に位置する第２露出領域４２である。第１露出領域４１が肌接触面における正電極部の露出部となり、第２露出領域４２が肌接触面における負電極部の露出部となる。第１露出領域４１の幅は、例えば２ｍｍ〜１５ｍｍ、好ましくは３ｍｍ〜１２ｍｍである。第１領域と第２領域の間隔は、例えば３ｍｍ〜１５ｍｍで、好ましくは４ｍｍ〜１０ｍｍである。
【０１０３】
次に、絶縁材５０ａが設置された電極合せ材を所定位置で所定形状（打抜き孔５１ａ）に打ち抜くことで微弱電流シート１００が得られる。微弱電流シート１００は、正電極部１１０と、負電極部１２０と、絶縁部１５０（ここでは第１絶縁部１５１、第２絶縁部１５２）を含む。
【０１０４】
＜電極合せ材からの微弱電流シートの製造例３＞
図１７は、電極合せ材から微弱電流シートを製造する他の例を説明する図である。
【０１０５】
まずは、台紙Ｓに載せた電極合せ材を所定位置で所定形状に打ち抜くことで、打ち抜いた電極合せ材（以下では、「電極合せシート」とも記する。）１４０が得られる。なお、電極合せ材を台紙に貼り付けて載置してもよい。
【０１０６】
次に、電極合せシート１４０の上に、負電極露出領域４２の周囲に所定幅の絶縁材５０ｂの印刷（塗布）を行う。ここでは、２つの負電極露出領域の間に正電極領域４１が位置するように、正電極材の幅方向の両側が絶縁材５０ｂに覆われるように印刷を行う。
【０１０７】
次に、絶縁材５０ｂが被さった電極合せシート１４０を、絶縁材５０ｃ上の所定位置（打抜き孔５１ｂ）で打ち抜くことで、微弱電流シート１００が得られる。微弱電流シート１００は、正電極部１１０と、負電極部１２０と、絶縁部１５０（ここでは第１絶縁部１５１、第２絶縁部１５２）を含む。
【０１０８】
台紙に柔軟性のあるシリコン材やプラスチック材などを用いることで、肌に密着させることが出来る。また、台紙に布や紙、不織布などを用いることで通気性を確保することが出来る。また、これらを組み合わせて用いてもよい。また、バインダーに発泡材や通気性のある材料（例：布や紙、木など）の粒子を混ぜることで、通気性を確保することが出来る。
【０１０９】
＜電極合せ材からの微弱電流シートの製造例４＞
図１８は、電極合せ材から微弱電流シートを製造する他の例を説明する図である。
【０１１０】
まずは、電極合せ材４０を所定位置で所定形状に打ち抜くことで、電極合せシート１４０が得られる。ここでは、所定形状は、三日月形状である。電極合せシート１４０を基部１６０に載置する。なお、基部は台紙を流用したものでよい。
【０１１１】
次に、基部上の電極合せシート１４０の周縁部を所定幅分だけ除去する。ここでは、打抜き孔１４１で打ち抜くことで除去し、基部１６０より所定幅小さい電極合せシート１４２とする。ここの所定幅は、約１．２ｍｍである。
【０１１２】
次に、基部１６０上の電極合せシート１４２に、三日月形状の絶縁材５０ｃを設置する。絶縁材５０ｃは、貫通している正電極露出領域５１ｃ及び負電極露出領域５２ｃを有する。絶縁材５０は、正電極露出領域５１ｃ及び負電極露出領域５２ｃを囲む縁部領域５３ｃの幅が約２．４ｍｍである。また、正電極露出領域５１ｃ及び負電極露出領域５２ｃの間の電極間領域５４ｃの幅が約５．０ｍｍである。
【０１１３】
これによって、微弱電流シート１００が得られる。微弱電流シート１００は、正電極部１１０と、負電極部１２０と、絶縁部１５０（ここでは第１絶縁部１５１、第２絶縁部１５２）とを含む。また、上記絶縁材５０ｃの電極間領域５４ｃが第１絶縁部１５１となり、縁部領域５３ｃが第２絶縁部１５２となる。
【０１１４】
図１９及び図２０は、三日月形状の微弱電流シートを人体に貼り付けた例を示す図で、図１９（ａ）は肩や腰等に貼り付けた例を示す図、図１９（ｂ）は胸等に貼り付けた例を示す図、図２０（ａ）、図２０（ｂ）及び図２０（ｃ）はそれぞれ、足に貼り付けた例を示す図である。
【０１１５】
微弱電流シート１００は、三日月形状であるため、その内側の凹部で骨の突出部を避けて貼り付けることができる。また、その丸みとやや広い幅で人体のやや凹下している部位ややや突出している部位に適応して貼付けることができる。また、左右対称的であるため、二つの筋肉を跨って貼り付けることもできる。
【０１１６】
＜電極合せ材からの微弱電流器具の製造例＞
図２１は、電極合せ材から微弱電流器具を製造する例を説明する図である。
【０１１７】
まずは、電極合せ材４０に、所定幅の絶縁材５０を貼り付ける。絶縁材５０は、長手方向では正、負電極材の長手方向の両端に合わせられ、幅方向（Ｘ方向）では正、負電極材の堺を上から覆う位置、及び負電極材の外縁部となる位置にそれぞれ合わせられる。絶縁材の所定幅は、例えば３ｍｍ〜１５ｍｍで、好ましくは４ｍｍ〜１０ｍｍである。また、ここでは、正電極露出領域が、例えば２ｍｍ〜１５ｍｍ、より好ましくは３ｍｍ〜１５ｍｍとなるように第１絶縁材を貼り付ける。また、第２絶縁材と第１絶縁材との間の間隔が例えば３ｍｍ〜２５ｍｍ、より好ましくは４ｍｍ〜２０ｍｍとなるように第２絶縁材を貼り付ける。
【０１１８】
なお、ここで図示の正電極露出領域は一例として直線状であるが、ラダー状に絶縁材を設けることで正電極露出領域が四角の連続とすることが出来る。負電極露出領域も同様にしてもよい。また、正、負電極で模様を変えてもよい。これにより、基部（ローラー）を回転させる際に、微弱電流の発生をランダムにしたり、規則正しくしたりすることが出来る。
【０１１９】
次に、持ち手部２７０の保持部２７１の先端の保持軸に基部２６０を挿通させる。そして、この基部２６０の周面に絶縁材５０が設置された電極合せ材を巻き付けることで、微弱電流器具２００が得られる。微弱電流器具２００は、正電極部２１０と、負電極部２２０と、絶縁部２５０（ここでは第１絶縁部２５１と第２絶縁部２５２）を含む。
【０１２０】
なお、図示しないが、先に、基部２６０に、絶縁材５０が設置された電極合せ材を巻きつけてから、これを保持部２７１の保持軸に挿通させることで、微弱電流器具２００を製造してもよい。
【０１２１】
なお、上記の記載に基づいて、当業者であれば、本発明の追加の効果や種々の変形を想到できるかもしれないが、本発明の態様は、上述した実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【０１２２】
１                      正電極材
２                      負電極材
４０                    電極合せ材
５０                    絶縁材
１００                  微弱電流シート
１１０                  正電極部
１２０                  負電極部
１３０                  導電部
１５０                  絶縁部
１５１                  第１絶縁部
１５２                  第２絶縁部
１６０                  基部
２００                  微弱電流器具
２１０                  正電極部
２２０                  負電極部
２５０                  絶縁部
２５１                  第１絶縁部
２５２                  第２絶縁部
２６０                  基部
【図１】
2020044278.tif 000003
【図２】
2020044278.tif 000004
【図３】
2020044278.tif 000005
【図４】
2020044278.tif 000006
【図５】
2020044278.tif 000007
【図６】
2020044278.tif 000008
【図７】
2020044278.tif 000009
【図８】
2020044278.tif 000010
【図９】
2020044278.tif 000011
【図１０】
2020044278.tif 000012
【図１１】
2020044278.tif 000013
【図１２】
2020044278.tif 000014
【図１３】
2020044278.tif 000015
【図１４】
2020044278.tif 000016
【図１５】
2020044278.tif 000017
【図１６】
2020044278.tif 000018
【図１７】
2020044278.tif 000019
【図１８】
2020044278.tif 000020
【図１９】
2020044278.tif 000021
【図２０】
2020044278.tif 000022
【図２１】
2020044278.tif 000023
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
肌に接触させて使用する微弱電流具の製造方法であって、
前記微弱電流具は、シート状の微弱電流シートであり、
第１金属を主成分とする第１電極材からなる第１電極部と、
前記第１金属と電位差を有する第２金属を主成分とする第２電極材からなり、前記第１電極部と電気的に接続する第２電極部と、
絶縁材からなり、肌接触面において前記第１電極部と前記第２電極部を絶縁する第１絶縁部とを含み、
前記微弱電流具の製造方法は、
前記第１電極材と前記第２電極材とを含む電極合せ材を製造する電極合せ材製造工程と、
１枚の前記電極合せ材を所定形状に複数打ち抜いて複数の電極合せシートを得る打抜工程と、
前記電極合せシートに前記絶縁材を設置する絶縁材設置工程と、を含む
ことを特徴とする微弱電流具の製造方法。
【請求項２】
請求項１に記載の微弱電流具の製造方法であって、
前記微弱電流具の製造方法は、さらに、
前記絶縁材設置工程で絶縁材が設置された前記電極合せシートを打ち抜いて微弱電流シートを得る打抜工程を含む
ことを特徴とする微弱電流具の製造方法。
【請求項３】
請求項１に記載の微弱電流具の製造方法であって、
前記微弱電流具の製造方法は、さらに、
前記電極合せシートの周縁部を所定幅分だけ除去する工程、を含み、
前記絶縁材設置工程では、所定幅分だけ除去された前記電極合せシートに前記絶縁材を設置する
ことを特徴とする微弱電流具の製造方法。
【請求項４】
肌に接触させて使用する微弱電流具の製造方法であって、
前記微弱電流具は、シート状の微弱電流シートであり、
第１金属を主成分とする第１電極材からなる第１電極部と、
前記第１金属と電位差を有する第２金属を主成分とする第２電極材からなり、前記第１電極部と電気的に接続する第２電極部と、
絶縁材からなり、肌接触面において前記第１電極部と前記第２電極部を絶縁する第１絶縁部とを含み、
前記微弱電流具の製造方法は、
前記第１電極材と前記第２電極材とを含む電極合せ材を製造する電極合せ材製造工程と、
前記電極合せ材に前記絶縁材を設置する絶縁材設置工程と、
絶縁材が設置された前記電極合せ材を所定形状に複数打ち抜いて複数の微弱電流シートを得る打抜工程と、を含む
ことを特徴とする微弱電流具の製造方法。
【請求項５】
請求項１〜４のいずれか一項に記載の微弱電流具の製造方法であって、
前記微弱電流具は、前記第２電極部が前記第１電極部よりも下層に位置する
ことを特徴とする微弱電流具の製造方法。
【請求項６】
請求項１〜４のいずれか一項に記載の微弱電流具の製造方法であって、
前記微弱電流具は、前記第１電極部と前記第２電極部とが離間しており、
前記第２電極部が、導電材からなる導電部を介して前記第１電極部と電気的に接続し、
前記電極合せ材は、前記導電材を含む
ことを特徴とする微弱電流具の製造方法。
【請求項７】
請求項１〜５のいずれか一項に記載の微弱電流具の製造方法であって、
前記電極合せ材製造工程は、
前記第１電極材を前記第２電極材の上に設置してから圧延加工で圧延する工程を含む
ことを特徴とする微弱電流具の製造方法。
【請求項８】
請求項６に記載の微弱電流具の製造方法であって、
前記電極合せ材製造工程では、
前記第１電極材及び前記第２電極材を前記導電材の上に設置してから圧延加工で圧延する
ことを特徴とする微弱電流具の製造方法。
【請求項９】
請求項７又は８に記載の微弱電流具の製造方法であって、
前記電極合せ材製造工程では、
前記第１電極材を前記第２電極材の上に貼り付けて設置する、又は、前記第１電極材及び前記第２電極材を前記導電材の上に貼り付けて設置する
ことを特徴とする微弱電流具の製造方法。
【請求項１０】
請求項７〜９のいずれか一項に記載の微弱電流具の製造方法であって、
前記電極合せ材製造工程では、
前記圧延加工は、加熱してから行われる
ことを特徴とする微弱電流具の製造方法。
【請求項１１】
請求項７に記載の微弱電流具の製造方法であって、
前記電極合せ材製造工程は、
前記第２電極材に、前記第１電極材を設置するための有底の設置溝を設ける工程を含む
ことを特徴とする微弱電流具の製造方法。
【請求項１２】
請求項７に記載の微弱電流具の製造方法であって、
前記電極合せ材製造工程は、
前記第２電極材に、その表面の少なくとも一部を粗面加工することで粗面を設ける工程を含む
ことを特徴とする微弱電流具の製造方法。
【請求項１３】
請求項１〜５のいずれか一項に記載の微弱電流具の製造方法であって、
前記電極合せ材製造工程は、
前記第２電極材を圧延加工で所定の厚みに圧延する工程と、
前記第１電極材を、導電性接着剤を介して圧延された前記第２電極材の上に設置する工程と、を含む
ことを特徴とする微弱電流具の製造方法。
【請求項１４】
請求項１〜５のいずれか一項に記載の微弱電流具の製造方法であって、
前記電極合せ材製造工程は、
台紙の上に、第２金属の粒子を含む素材をバインダーとともに塗布して前記第２電極材を設置する工程と、
前記第２電極材の上に、前記第１電極材を設置する工程と、を含む
ことを特徴とする微弱電流具の製造方法。
【請求項１５】
請求項１４に記載の微弱電流具の製造方法であって、
前記第１電極材を設置する工程では、
前記第２電極材の上に、導電性接着剤を介して前記第１電極材を設置する
ことを特徴とする微弱電流具の製造方法。
【請求項１６】
請求項１〜４及び６のいずれか一項に記載の微弱電流具の製造方法であって、
前記電極合せ材製造工程は、
導電性接着剤が塗布された台紙の上に、第２金属の粒子を含む素材をバインダーとともに塗布して前記第２電極材を設置する工程と、
前記導電性接着剤が塗布された台紙の上に、前記第１金属の粒子を含む素材をバインダーとともに塗布して前記第１電極材を設置する工程と、を含む
ことを特徴とする微弱電流具の製造方法。
【請求項１７】
請求項１〜１６のいずれか一項に記載の微弱電流具の製造方法であって、
前記微弱電流具は、さらに、
絶縁材からなり、肌接触面において少なくとも前記第２電極部の外縁部を覆っている第２絶縁部を含み、
前記絶縁材設置工程では、さらに、
前記電極合せ材に前記第２絶縁部を構成する前記絶縁材を設置する
ことを特徴とする微弱電流具の製造方法。
【請求項１８】
請求項１〜１７のいずれか一項に記載の微弱電流具の製造方法であって、
前記絶縁材設置工程では、
前記第１絶縁部の幅が３ｍｍ〜１５ｍｍとなるように前記絶縁材を設置する
ことを特徴とする微弱電流具の製造方法。
【請求項１９】
請求項１〜１８のいずれか一項に記載の微弱電流具の製造方法であって、
前記絶縁材設置工程では、
前記第１電極部の露出部の幅が２ｍｍ〜１５ｍｍとなり、前記第２電極部の露出部の幅が３ｍｍ〜２５ｍｍとなるように前記絶縁材を設置する
ことを特徴とする微弱電流具の製造方法。
【請求項２０】
請求項１〜１９のいずれか一項に記載の微弱電流具の製造方法であって、
前記第１電極部が正電極部で、前記第２電極部が負電極部である
ことを特徴とする微弱電流具の製造方法。